(57)【要約】  本発明は、フィラメント（２１）を用いた光源（２０）を備える照明装置において、対象物に照射する光の集光性や均一性を制御し易くするとともに、ソケット（２０Ｂ）等の被接続部を熱から保護することができ、なおかつ対象物に照射する光の強度分布をよりフラットにすべく、１列又は複数列に並べられた複数の光源（２０）と、光源（２０）を収容するとともに光源からの光を取り出すための光取出し口Ｘが形成されたケーシング（１０）とを具備する照明装置（１００）であって、光源（２０）が、フィラメント（２１）を筒状の収容体（２２）に収容してなる発光部（２０Ａ）及び発光部（２０Ａ）が接続されるソケット（２０Ｂ）等の被接続部を有し、収容体（２２）の外側周面（２２１）から射出された光が光取出し口Ｘから取り出される姿勢で配置されており、ソケット（２０Ｂ）の少なくとも一部を覆うとともに、発光部（２０Ａ）から射出されてソケット（２０Ｂ）に向かう光を遮蔽するは遮蔽部材（６０）をさらに具備するようにした。
2018230540.tif 000002
【特許請求の範囲】
【請求項１】
１列又は複数列に並べられた複数の光源と、前記光源を収容するとともに、前記光源からの光を取り出すための光取出し口が形成されたケーシングとを具備する照明装置であって、  前記光源が、フィラメントを筒状の収容体に収容してなる発光部及び前記発光部が接続される被接続部を有し、前記収容体の外側周面から射出された光が前記光取出し口から取り出される姿勢で配置されており、  前記被接続部の少なくとも一部を覆うとともに、前記発光部から射出されて前記被接続部に向かう光を遮蔽する遮蔽部材をさらに具備している照明装置。
【請求項２】
前記フィラメントに電流を供給するための電気ケーブルが前記被接続部に接続された状態において、前記遮蔽部材が、前記電気ケーブルの少なくとも一部を覆うとともに、前記発光部から射出されて前記電気ケーブルに向かう光を遮蔽する請求項１記載の照明装置。
【請求項３】
前記遮蔽部材が、前記光源の配列方向に沿って延びる長尺状のものであり、１列に含まれる前記各光源の前記被接続部を覆っている請求項１記載の照明装置。
【請求項４】
前記遮蔽部材が前記ケーシングに固定されており、該遮蔽部材に前記被接続部が取り付けられている請求項１記載の照明装置。
【請求項５】
前記遮蔽部材が、前記被接続部を収容するとともに空気が流入出可能な収容空間を形成している請求項１記載の照明装置。
【請求項６】
列状に並べられた複数の前記光源が、前記収容体の外側周面が前記光取出し口に対向する姿勢で配置されている請求項１記載の照明装置。
【請求項７】
列状に並べられた複数の前記光源が、配列方向と前記収容体の軸方向とが直交する姿勢で配置されている請求項１記載の照明装置。
【請求項８】
列状に並べられた複数の前記光源が、前記収容体の先端が互いに同じ向きになる姿勢で配置されている請求項１記載の照明装置。
【請求項９】
列状に並べられた複数の前記光源が、配列方向に沿って互いに隣り合う前記光源の前記収容体の先端が互いに逆向きになる姿勢で配置されている請求項１記載の照明装置。
【請求項１０】
前記光源が、赤外波長を含む光を射出するものであり、  前記遮蔽部材が、赤外波長の光を反射させる材質で形成されている請求項１記載の照明装置。
【請求項１１】
前記光取出し口に対向して設けられ、前記発光部から射出された光を反射させる反射部材をさらに具備し、  前記反射部材が、前記遮蔽部材と一体的に設けられている請求項１記載の照明装置。
【請求項１２】
前記光源、前記反射部材、前記遮蔽部材、及び前記光源を制御する回路基板が、これらが一体化されてなるユニット構造体を構成している請求項１１記載の照明装置。
【発明の詳細な説明】
【技術分野】
【０００１】  本願発明は、照明装置に関するものである。
【背景技術】
【０００２】  例えばハロゲンランプ等のようにフィラメントを用いた光源を備える照明装置は、広い波長領域であって赤外領域まで高い強度を有する光を射出する点において、ＬＥＤ光源を用いたものよりも優れており、例えば赤外カメラとともに異物混入検査や外観検査等に用いられている。【０００３】  この種の照明装置としては、特許文献１に示すように、先端が封止された筒状の収容体にフィラメントを収容してなるハロゲンランプを列状に複数並べたものがある。具体的にこの照明装置は、各ハロゲンランプの後方に楕円反射鏡を設けるとともに、前方に反射板を設けて、各ハロゲンランプから射出された光を集光しつつ対象物に向かって反射させるように構成されている。【０００４】  しかしながら、収容体の先端が封止されたハロゲンランプでは、フィラメントからの光が封止部分で予期せぬ方向に屈折してしまい、ハロゲンランプから射出された光の集光性や、対象物に照射される光の均一性を制御することが難しい。
【先行技術文献】
【特許文献】
【０００５】
【特許文献１】実開昭５６−６０９４９号公報
【発明の概要】
【発明が解決しようとする課題】
【０００６】  そこで本願発明者は、先端が封止された筒状の収容体を倒した状態で列状に並べて、収容体の外側周面から射出される光を対象物に導く構成を、本願発明の開発に当たって中間的に考えた。【０００７】  このような構成であれば、フィラメントからの光は予期せぬ方向に屈折することなく収容体の外側周面から射出されて対象物に導かれるので、対象物に照射する光の集光性や均一性を制御し易くなる。【０００８】  ところで、上述したようにフィラメントを用いた光源は、フィラメントを収容する収容体をソケットに接続して、このソケットを介してフィラメントに電流を供給するように構成されているので、フィラメントの発光により生じた赤外波長を含む広い波長領域の光がソケットに照射される。  その結果、ソケットが熱によるダメージを受けたり、フィラメントからの光のうち特定波長の光がソケットに吸収されて、対象物に照射される光の強度分布に起伏が生じたりするといった問題が生じる。かかる問題は、ソケットを介さずに収容体を電気ケーブルや中継基板等の被接続部に接続する場合にも同様に生じる問題である。【０００９】  そこで、本願発明は、上記問題点を一挙に解決すべくなされたものであり、フィラメントを用いた光源を備える照明装置において、対象物に照射する光の集光性や均一性を制御し易くするとともに、ソケット等の被接続部を熱から保護することができ、なおかつ対象物に照射する光の強度分布をよりフラットにすることをその主たる課題とするものである。
【課題を解決するための手段】
【００１０】  すなわち本願発明にかかる照明装置は、１列又は複数列に並べられた複数の光源と、前記光源を収容するとともに、前記光源からの光を取り出すための光取出し口が形成されたケーシングとを具備する照明装置であって、前記光源が、フィラメントを筒状の収容体に収容してなる発光部及び前記発光部が接続される被接続部を有し、前記収容体の外側周面から射出された光が前記光取出し口から取り出される姿勢で配置されており、前記被接続部の少なくとも一部を覆うとともに、前記発光部から射出されて前記被接続部に向かう光を遮蔽する遮蔽部材をさらに具備していることを特徴とするものである。なお、ここでいう「被接続部に向かう光」とは、発光部から直接被接続部に向かう光のみならず、周囲の部材で反射した後に被接続部に向かう光も含まれる。【００１１】  このように構成された照明装置であれば、光源が収容体の外側周面から射出された光が光取出し口から取り出される姿勢で配置されているので、収容体の先端が封止されているとしても、フィラメントからの光は予期せぬ方向に屈折することなく収容体の外側周面から射出されて対象物に導かれる。これにより、対象物に照射する光の集光性や均一性を制御し易くなる。  そのうえ、遮蔽部材が被接続部の少なくとも一部を覆うとともに、発光部から被接続部に向かう光を遮蔽しているので、被接続部を熱から保護することができ、なおかつ特定波長の光が被接続部に吸収されることなく、対象物に照射される光の強度分布をフラットにすることができる。【００１２】  前記フィラメントに電流を供給するための電気ケーブルが前記被接続部に接続された状態において、前記遮蔽部材が、前記電気ケーブルの少なくとも一部を覆うとともに、前記発光部から射出されて前記電気ケーブルに向かう光を遮蔽することが好ましい。なお、ここでいう「電気ケーブルに向かう光」とは、発光部から直接電気ケーブルに向かう光のみならず、周囲の部材で反射した後に電気ケーブルに向かう光も含まれる。  このような構成であれば、電気ケーブルを熱から保護することができる。【００１３】  前記遮蔽部材が、前記光源の配列方向に沿って延びる長尺状のものであり、１列に含まれる前記各光源の前記被接続部を覆っていることが好ましい。  このような構成であれば、例えば各光源それぞれに対して遮蔽部材を設ける構成に比べて、部品点数を少なくすることができ、装置の組み立てが容易である。【００１４】  前記遮蔽部材が前記ケーシングに固定されており、該遮蔽部材に前記被接続部が取り付けられていることが好ましい。  このような構成であれば、被接続部を固定するための部材を別途設ける必要がなく、装置構成を簡単化することができる。【００１５】  前記遮蔽部材が、前記被接続部を収容するとともに空気が流入出可能な収容空間を形成していることが好ましい。  このような構成であれば、収容空間内にケーシング内の空気やケーシング外の空気が流れ込むので、この空気によって被接続部を冷却することができ、被接続部を熱からより確実に保護することができる。【００１６】  列状に並べられた複数の前記光源が、前記光取出し口に前記収容体の外側周面が対向する姿勢で配置されていることが好ましい。  このような���成であれば、フィラメントからの光が収容体の封止部分で予期せぬ方向に屈折しても、光取出し口から取り出される光はその影響をほとんど受けず、光取出し口から取り出される光の集光性や均一性をより向上させることができる。【００１７】  具体的な実施態様としては、列状に並べられた複数の前記光源が、配列方向と前記収容体の軸方向とが直交する姿勢で配置されている構成が挙げられる。【００１８】  より具体的には、列状に並べられた複数の前記光源が、前記収容体の先端が互いに同じ向きになる姿勢で配置されていることが好ましい。  このような配置であれば、遮蔽部材や電気ケーブルを片側に集約させることができ、全体構成の簡素化や配線の容易化を図れる。【００１９】  一方、上述したように収容体の先端が互いに同じ向きになる姿勢で光源を配置した場合、光源の間隔を狭くすると互いに隣り合う光源のソケットが干渉してしまう恐れがあり、光源の間隔をソケットが干渉しない程度に保つ必要がある。その結果ライン光の長手方向における照度ムラが生じてしまう。  そこで、列状に並べられた複数の前記光源が、配列方向に沿って互いに隣り合う前記光源の前記収容体の先端が互いに逆向きになる姿勢で配置されていることが好ましい。  このような配置であれば、ある方向を向いて並べられた光源の間に、その逆向きに並べられた光源を配置することができるので、光源の配置間隔を狭くすることができ、ライン光の長手方向における照度ムラを低減できる。【００２０】  前記光源が、赤外波長を含む光を射出するものであり、前記遮蔽部材が、赤外波長の光を反射させる材質で形成されていることが好ましい。  このような構成であれば、光取出し口から取り出される赤外光の出力を向上させることができる。
【発明の効果】
【００２１】  このように構成した本願発明によれば、フィラメントを用いた光源を備える照明装置において、対象物に照射する光の集光性や均一性を制御し易くするとともに、熱によるソケット等の被接続部へのダメージを低減し、なおかつ対象物に照射する光の強度分布をよりフラットにすることができる。
【図面の簡単な説明】
【００２２】
【図１】本実施形態の照明装置の構成を示す斜視図。
【図２】本実施形態の照明装置のケーシング内の構成を示す斜視図。
【図３】本実施形態の光源の構成及び配置を示す平面図。
【図４】本実施形態の照明装置のケーシング内の構成を示す断面図。
【図５】本実施形態の照明装置のケーシング内の構成を示す斜視図。
【図６】その他の実施形態における光源の構成を示す平面図。
【図７】その他の実施形態における光源の構成を示す平面図。
【図８】その他の実施形態における照明装置のケーシング内の構成を示す断面図。
【図９】その他の実施形態における光源の周辺構成を示す斜視図。
【発明を実施するための形態】
【００２３】  以下に本願発明に係る照明装置の一実施形態について図面を参照して説明する。
【００２４】  本実施形態に係る照明装置１００は、例えば、赤外カメラを使用して異物混入検査や外観検査等を実施するために用いられるものであり、検査対象に赤外波長の光（以下、赤外光という）を照射する面発光装置である。  なお、赤外カメラとしては、例えば分光器を備えて広い波長領域の情報を取得することができるハイパースペクトルカメラが好ましいが、その他の種々のタイプのものを用いることができる。
【００２５】  具体的にこの照明装置１００は、図１及び図２に示すように、光取出し口Ｘが形成されたケーシング１０と、ケーシング１０内に収容された複数の光源２０とを具備している。なお、図２は、ケーシング１０の内部構成を示しているが、後述する電気ケーブルＥＬの記載は省略している。
【００２６】  ケーシング１０は、例えば略直方体形状をなし、その一面（上板１１）に前記光取出し口Ｘが形成されたものであり、ここでは前記光取出し口Ｘに透過性を有する拡散板３０が設けられている。なお、光取出し口Ｘには、拡散板３０の代わりに、光を拡散させることなく透過させる光透過窓を設けても良い。  また、光取出し口Ｘとは反対側の底板１２の裏面（外面）には、光源２０からの熱を放熱するための放熱フィン等の放熱部材４０が設けられており、底板１２の表面（内面）には赤外光を反射させる反射板５０が設けられている。さらに本実施形態では、ケーシング１０の側板１３の内面における少なくとも一部に反射板５０を設けている。なお、底板１２や側板１３には必ずしも反射板５０を設けておく必要はない。
【００２７】  光源２０は、図２に示すように、ケーシング１０内において列状に配置されており、具体的には図３に示すように、フィラメント２１を先端が封止された筒状の収容体２２に収容してなる発光部２０Ａと、発光部２０Ａが接続される被接続部たるソケット２０Ｂとを有した所謂ハロゲンランプである。
【００２８】  より具体的に説明すると、フィラメント２１は導線が巻回されてなり、電流が供給されるとジュール熱を発生しながら発光するものである。ここでのフィラメント２１は、収容体２２の軸方向と垂直な方向に延びており、その両端からは導入線２３が延びている。これらの導入線２３はそれぞれ、収容体２２の外側に引き出された端子２４に接続されており、各端子２４がソケット２０Ｂに差し込まれることで発光部２０Ａとソケット２０Ｂとが接続される。
【００２９】  収容体２２は、ガラス製のバルブと呼ばれるものであり、ここでは円筒状の先細り形状をなすものであり、先端には先端開口をガラス融着などによって封止する際に形成されたチップ２５が設けられている。また、後端開口は扁平状の封止部材２６によって封止されている。
【００３０】  ソケット２０Ｂは、端子２４が接続される図示しない差込口が形成されたブロック状のものであり、ここでは収容体２２の軸方向に沿って発光部２０Ａが差し込まれるように構成されている。具体的にこのソケット２０Ｂは、収容体２２の軸方向から視たときに、収容体２２よりも外側にはみ出す例えば収容体２２よりも大径の円筒状をなすものであり、発光部２０Ａに対向する取付面２７に前記差込口が形成されている。ソケット２０Ｂには、フィラメント２１に電流を供給するための電気ケーブルＥＬが接続されており、電気ケーブルＥＬは、図１に示すように、例えば複数本が束ねられた状態でケーシング１０の側板１３に形成された貫通孔１ｈからケーシング１０の外部に引き出されて図示しない電源に接続される。
【００３１】  上述した光源２０は、図２に示すように、互いに平行な複数列に並べられており、各列に並べられた複数の光源２０は、収容体２２の外側周面２２１が光取出し口Ｘに対向する姿勢で配置されている。より詳細に説明すると、各光源２０は、収容体２２の軸方向と光取出し口Ｘの平面方向（光取出し口Ｘの法線方向に垂直な方向）とが平行になる姿勢で配置されている。  なお、収容体２２の軸方向は必ずしも光取出し口Ｘの平面方向と平行である必要はなく、光取出し口Ｘに対して傾斜していても良い。
【００３２】  本実施形態では、列状に並べられた各光源２０は、配列方向と収容体２２の軸方向とが直交する姿勢、すなわち配列方向に沿って各光源２０のフィラメント２１が延びるように配置されており、各収容体２２の軸方向は互いに平行である。また、列状に並べられた各光源２０は、収容体２２の先端が互いに同じ向きになる姿勢、すなわち各収容体２２の先端及び後端それぞれが配列方向に沿って直線上に位置する姿勢で配置されている。  なお、フィラメント２１は必ずしも配列方向に沿って延びている必要はなく、配列方向に対して傾いた方向に延びていても良い。また、各収容体２２の軸方向は必ずしも全てが互いに平行である必要はない。
【００３３】  然して、本実施形態の照明装置１００は、図４に示すように、ソケット２０Ｂの少なくとも一部を覆うとともに、発光部２０Ａから射出されてソケット２０Ｂに向かう光を遮蔽する遮蔽部材６０をさらに具備してなる。
【００３４】  遮蔽部材６０は、赤外光を透過させずに反射させる材質からなる。なお反射には、鏡面反射や拡散反射が含まれる。
【００３５】  本実施形態の遮蔽部材６０は、図２及び図４に示すように、少なくとも一部がソケット２０Ｂの取付面２７と収容体２２との間に介在して取付面２７を覆うものであり、光源２０の配列方向に沿って延びる長尺状をなす。この遮蔽部材６０は、列状に配置された光源２０の各列毎に設けられており、各遮蔽部材６０が対応する列に含まれる全ての光源２０のソケット２０Ｂを覆うように構成されている。
【００３６】  遮蔽部材６０は、ソケット２０Ｂを収容する収容空間Ｓを形成するものであり、横断面が下向きに開口した矩形形状をなす。具体的にこのものは、図４に示すように、ソケット２０Ｂの取付面２７を覆う前壁６１、前壁６１と対向するとともにソケット２０Ｂの後方に設けられた後壁６２、及び前壁６１と後壁６２との間に介在するとともにソケット２０Ｂの上方に設けられた上壁６３とを有している。なお、前壁６１、後壁６２、及び上壁６３は、一体的に形成されていても良いし、別部材であっても良いが、ここでは前壁６１と上壁６３とを一体的に形成するとともに、後壁６２をこれらと別体にしている。また、遮蔽部材６０は、必ずしも前壁６１、後壁６２、及び上壁６３を有している必要はなく、少なくとも前壁６１を有していれば、図２及び図４の最後列に示す遮蔽部材６０のように、例えば上壁６３を有していないものであっても良いし、図示していないが上壁６３及び後壁６２を有していないものであっても良い。
【００３７】  前壁６１は、発光部２０Ａが挿通される貫通孔６ｈが形成された平板状のものであり、ここでは長手方向に沿って複数の貫通孔６ｈが例えば等間隔で形成されている。これらの貫通孔６ｈは、列状に並べられた各光源２０の発光部２０Ａそれぞれに対応する位置に形成されており、各貫通孔６ｈを対応する光源２０の先端から通すことで、前壁６１がソケット２０Ｂの取付面２７に対面した状態で配置される。  本実施形態では、上述したように上壁６３が前壁６１と一体的に設けられていることから、前壁６１をソケット２０Ｂの取付面２７に近接配置させることで、上壁６３がソケット２０Ｂの上方に配置される。
【００３８】  後壁６２は、前壁６１と平行に設けられた平板状のものであり、その下端部にはケーシング１０の底面に沿うように折れ曲げられたフランジ部が形成されている。そして、このフランジ部をケーシング１０の底面に螺子等によって取り付けることで、遮蔽部材６０がケーシング１０に固定されている。  本実施形態では、後壁６２における前壁６１と対向する面にソケット２０Ｂが螺子等を介して取り付けられており、遮蔽部材６０がソケット２０Ｂの固定やソケット２０Ｂの位置決めに兼用されている。
【００３９】  上述した前壁６１、後壁６２、及び上壁６３によって囲まれた空間が収容空間Ｓであり、ここでの収容空間Ｓは、密閉されることなく、空気が流入出可能に構成されている。具体的には、図２に示すように、遮蔽部材６０の長手方向の一端又は両端が塞がれることなく開放されており、この一端開口又は両端開口を介してケーシング１０内の空気が収容空間Ｓに流入出するように構成されている。
【００４０】  本実施形態では、遮蔽部材６０の長手方向の一端は開口するとともに、他端は上述した反射板５０によって一部が塞がれている。ただし、この反射板５０には、図５に示すように、電気ケーブルＥＬを通すための貫通孔５ｈが形成されており、反射板５０とケーシング１０の内側面との間に沿って配線された電気ケーブルＥＬが前記貫通孔５ｈを介して収容空間Ｓ内に挿入できるように構成されている。つまり、本実施形態の収容空間Ｓは、電気ケーブルＥＬの少なくとも一部を収容しており、遮蔽部材６０が電気ケーブルＥＬの少なくとも一部を覆って、発光部２０Ａから射出されて電気ケーブルＥＬに向かう光を遮蔽するように構成されている。
【００４１】  このように構成された本実施形態の照明装置１００によれば、光源２０が収容体２２の外側周面２２１から射出された光が光取出し口Ｘから取り出される姿勢で配置されているので、フィラメント２１からの光は予期せぬ方向に屈折することなく収容体２２の外側周面２２１から射出されて対象物に導かれる。これにより、対象物に照射する光の集光性や均一性を制御し易くなる。  そのうえ、遮蔽部材６０がソケット２０Ｂを覆って発光部２０Ａから射出される光を遮蔽しているので、ソケット２０Ｂを熱から保護することができ、なおかつ特定波長の光がソケット２０Ｂに吸収されることなく、対象物に照射される光の強度分布をフラットにすることができる。
【００４２】  また、遮蔽部材６０が電気ケーブルＥＬを覆って発光部２０Ａから射出される光を遮蔽しているので、電気ケーブルＥＬを熱から保護することができる。
【００４３】  さらに、遮蔽部材６０が光源２０の配列方向に沿って延びる長尺状のものであり、各列に対応して遮蔽部材６０を設けているので、各光源２０それぞれに対して遮蔽部材６０を設ける構成に比べて、部品点数が少なく装置の組み立てが容易である。
【００４４】  加えて、遮蔽部材６０がケーシング１０に固定されており、遮蔽部材６０にソケット２０Ｂが取り付けられているので、ソケット２０Ｂを固定したり位置決めしたりするための部材を別途設ける必要がなく、装置構成を簡単化することができる。
【００４５】  さらに加えて、収容空間Ｓを空気が流入出可能に構成しているので、ケーシング１０内の空気やケーシング１０の外部の空気が収容空間Ｓに流れ込む。これにより、ソケット２０Ｂを冷却することができ、ソケット２０Ｂを熱からより確実に保護することができる。
【００４６】  そのうえ、列状に並べられた複数の光源２０が、収容体２２の外側周面２２１が光取出し口Ｘに対向する姿勢で配置されているので、フィラメント２１からの光が収容体２２の封止部分で予期せぬ方向に屈折しても、光取出し口Ｘから取り出される光はその影響をほとんど受けず、光取出し口Ｘから取り出される光の集光性や均一性をより向上させることができる。
【００４７】  また、列状に並べられた複数の光源２０が、収容体２２の先端が互いに同じ向きになる姿勢で配置されているので、遮蔽部材６０や電気ケーブルＥＬを収容体２２の軸方向片側に集約させることができ、全体構成の簡素化や配線の容易化を図れる。
【００４８】  また、遮蔽部材６０が、赤外波長の光を反射させる材質で形成されているので、光取出し口Ｘから取り出される赤外光の出力を向上させることができる。
【００４９】  なお、本願発明は前記実施形態に限られるものではない。
【００５０】  例えば、照明装置は、前記実施形態では光源を複数列に並べた面発光装置として説明したが、光源を１列に並べたライン光照射装置として用いても良い。
【００５１】  また、前記実施形態では遮蔽部材が長尺状のものであり、１列に含まれる光源全てのソケットを覆う構成であったが、例えば１つの光源に対して１つの遮蔽部材を設けるなど、遮蔽部材の形状や配置は適宜変更して構わない。
【００５２】  さらに、前記実施形態の遮蔽部材は、横断面が下向きに開口した矩形形状をなすものであったが、下向きに開口する半円形状や楕円形状や三角形状等、横断面形状は適宜変更して構わない。  また、前記実施形態の遮蔽部材は、光源から射出されて直接ソケットに向かう光を遮蔽するように配置されていたが、例えば光取出し口に設けた拡散板などの周囲部材で反射した後にソケットに向かう光を遮蔽するように配置されていても良い。
【００５３】  前記実施形態では、ソケットを遮蔽部材に取り付けていたが、ソケットは例えばケーシングの底面に取り付けられていても良いし、遮蔽部材と別の部材に取り付けられていても良い。
【００５４】  また、前記実施形態のソケット２０Ｂは、収容体２２の軸方向に沿って発光部２０Ａが差し込まれるように構成されていたが、発光部２０Ａの差込方向は軸方向に沿っている必要はなく、種々の構成に変更して構わない。
【００５５】  さらに、前記実施形態の光源は、フィラメントが収容体の軸方向と垂直な方向に延びるものとして説明したが、図６に示すように、フィラメント２１が収容体２２の軸方向に沿って延びるものであって良い。
【００５６】  また、前記実施形態では、列状に並べられた各光源は、収容体の先端が互いに同じ向きになる姿勢で配置されていたが、図７に示すように、配列方向に沿って互いに隣り合う光源２０の収容体２２の先端が互いに逆向きになる姿勢で配置されていても良い。  このような構成であれば、ある方向を向いて並べられた光源２０の間に、その逆向きに並べられた光源２０を配置することができるので、互いに隣り合うソケット２０Ｂを干渉させることなく光源２０の配置間隔を狭くすることができ、ライン光の長手方向における照度ムラを低減できる。
【００５７】  また、本願発明に係る照明装置１００としては、図８及び図９に示すように、光取出し口Ｘに対向して設けられた反射部材たる反射板５０が、遮蔽部材６０と一体的に設けられていても良い。
【００５８】  より具体的に説明すると、遮蔽部材６０は、前記実施形態と同様に、前壁６１、後壁６２、及び上壁６３を有しており、ここでは後壁６２が反射板５０と一体的に設けられている。なお、前壁６１と反射板５０とが一体的に設けられていても良い。
【００５９】  さらに、これらの反射板５０及び遮蔽部材６０は、光源２０とさらに一体化されている。具体的には、光源２０を構成するソケット２０Ｂがネジ等によって遮蔽部材６０に連結されている。これにより、光源２０、反射板５０、及び遮蔽部材６０は、これらがユニット化されてなるユニット構造体Ｚを構成している。ここでは、光源２０の光軸と直交する方向に沿って並べられた複数の光源２０と、これら複数の光源２０に対応して設けられた反射板５０及び遮蔽部材６０とがユニット構造体Ｚを構成している。
【００６０】  このユニット構造体Ｚは、図９に示すように、支持部材７０に支持されている。この支持部材７０は、ユニット構造体Ｚをケーシングの光取出し口Ｘに対向する面（底板１２）から光取出し口Ｘ側に離間させて支持するものである。ここでの支持部材７０は光源２０を支持しているが、反射板５０や遮蔽部材６０を支持しても良い。また、図９では、２つの支持部材７０を示しているが、支持部材７０の数はこれに限らず、１つであっても良いし、３つ以上であっても良い。  このようにユニット構造体Ｚを底板１２から離間させて配置することで、ユニット構造体Ｚと底板１２との間に例えば回路基板Ｃや図示しない電気ケーブル等を収容する第２収容空間Ｓ２が形成される。なお、ここでの回路基板Ｃは、支持部材７０によって支持されており、ユニット構造体Ｚの一部を構成している。
【００６１】  このように構成された照明装置１００であれば、反射板５０及び遮蔽部材６０が一体化されているので、これらを光源２０に取り付けることで、光源２０の周囲に反射板５０が配置されるとともに、ソケット２０Ｂを遮蔽部材６０により遮蔽する構造を得ることができ、組立性の向上を図れる。しかも、光源２０、反射板５０、遮蔽部材６０、及び回路基板Ｃがユニット化されてなるユニット構造体Ｚを構成しているので、構造の簡易化や組立性のさらなる向上を図れる。
【００６２】  さらに別の実施形態を述べると、前記実施形態の光源は、収容体の外側周面が光取出し口と対向する姿勢で配置されており、各光源から射出された光がそのまま光取出し口に向かう構成であったが、各光源から射出された光を例えば反射ミラー等を用いて光取出し口に向かわせる構成としても良い。
【００６３】  さらに加えて、本願発明の照明装置としては、列状に配置された複数の光源が接続される中継基板をさらに備えていても良い。  具体的にこの中継基板は、各光源のソケットに接続された電気ケーブルが電気的に接続されるものであり、例えば前記実施形態において中継基板を収容空間Ｓに設けることで熱から保護することができる。
【００６４】  また、前記実施形態では、発光部をソケットに接続する態様を説明したが、発光部にソケットを介さずに電気ケーブルを接続しても良いし、発光部を中継基板に接続しても良い。このような場合には、電気ケーブルや中継基板が被接続部である。
【００６５】  その上、前記実施形態の照明装置は、検査用途に用いられるハロゲンランプであったが、検査用途に限らず一般用途等としても良いし、ハロゲンランプ以外にも、クリプトンランプや白熱灯やＵＶランプ等であっても良い。
【００６６】  その他、本願発明は前記実施形態に限られず、その趣旨を逸脱しない範囲で種々の変形が可能である。
【符号の説明】
【００６７】１００・・・照明装置ＥＬ  ・・・電気ケーブル１０  ・・・ケーシングＸ    ・・・光取出し口２０  ・・・光源２１  ・・・フィラメント２２  ・・・収容体２２１・・・外側周面２０Ａ・・・発光部２０Ｂ・・・ソケット２５  ・・・チップ６０  ・・・遮蔽部材Ｓ    ・・・収容空間
【産業上の利用可能性】
【００６８】  本発明によれば、フィラメントを用いた光源を備える照明装置において、対象物に照射する光の集光性や均一性を制御し易くするとともに、ソケット等の被接続部を熱から保護することができ、なおかつ対象物に照射する光の強度分布をよりフラットにすることができる。 
【図１】
2018230540.tif 000003
【図２】
2018230540.tif 000004
【図３】
2018230540.tif 000005
【図４】
2018230540.tif 000006
【図５】
2018230540.tif 000007
【図６】
2018230540.tif 000008
【図７】
2018230540.tif 000009
【図８】
2018230540.tif 000010
【図９】
2018230540.tif 000011
【国際調査報告】
2018230540.tif 000012
2018230540.tif 000013